(57)【要約】      （修正有）【課題】自国時間を表示する自国時間表示用短針と他国時間を表示する複数の他国時間表示用短針を有し、容易に時差に合わせ、時差の表示をすることができる時差表示時計を提供する。【解決手段】自国時間を表示する自国時間表示用短針と他国時間を表示する複数の他国時間表示用短針を有し、他国時間を表示する他国時間表示用短針を時差に合わせて回動自在に構成し、自国時間を表示する自国時間表示用短針と他国時間を表示する複数の他国時間表示用短針を異なる色彩で表面処理し、又は異なる形状に、且つ、他国時間表示用短針を回動するための駆動機構が、ボタンの押圧によりレバーを介してラチェットを回動する手段、リューズを介してギヤを回動する手段、クラッチ手段等の操作で行うことのできる駆動手段で構成されている。【選択図】  図１
2006030153.tif 000002
【特許請求の範囲】
【請求項１】
自国時間を表示する自国時間表示用短針と他国時間を表示する複数の他国時間表示用短針を有し、他国時間を表示する該他国時間表示用短針を時差に合わせて回動自在に構成したことを特徴とする時差表示時計。
【請求項２】
自国時間を表示する自国時間表示用短針と他国時間を表示する複数の他国時間表示用短針を異なる色彩で表面処理し、又は異なる形状にしたことを特徴とする請求項１記載の時差表示時計。
【請求項３】
他国時間を表示する他国時間表示用短針を回動するための駆動機構が、時計本体の外側に位置するボタンの押圧によりレバーを介してラチェットを回動する手段、リューズを介してギヤを回動する手段、クラッチ手段等の操作で容易に行うことのできる駆動手段で構成されていることを特徴とする請求項１の時差表示時計。
【発明の詳細な説明】
【技術分野】
【０００１】  本発明は時差表示時計に関し、特に自国時間を表示する自国時間表示用短針と他国時間を表示する複数の他国時間表示用短針を有し、他国時間を表示する他国時間表示用短針を時差に合わせて簡単な操作で回動自在とし、容易に時差の表示をすることができる時差表示時計に関する。
【背景技術】
【０００２】  従来、時差補正機能付時計や世界時計等の発明がなされているが、例えば、外側の文字盤を回す形式の時差補正機能付時計、時刻を表示させるための電機回路や固定地図板を有する世界時計等があり、前者は特開平９−６１５５１号公報に、後者は特開平１−２８８７９２号公報にそれらの技術内容が開示されている。【０００３】  これらの公報のうち、前者は「時差時間を知らなくても、地域で選択する機能を設けた時差補正が出来る時計を提供することを目的とし、時差地域を表記した内文字盤の外側に時間を表記した外文字盤を設け、内文字盤に対して外文字盤を回すと１対−１１の割合で長針が回ることで時差補正をおこなう時計」であり、後者は「分と秒を表示する電子式時計から毎時０分００秒毎に発生する短時間の電流出力でモータ制御装置を作動させ固定地図板の中央部に回動可能にした回転時刻板を毎時２４分の１回転させる世界時計」が開示されている。【０００４】
【特許文献１】特開平９−６１５５１号公報  特開平１−２８８７９２号公報
【発明の開示】
【発明が解決しようとする課題】
【０００５】  前記せる従来の時差補正機能付時計や世界時計においては、いずれも複雑な構造であり見づらく、製造コストも高いものであった。また、全ての時計に応用できるものではなかった。
【課題を解決するための手段】
【０００６】  これに対して、本発明は極めて簡単な構造と簡単な操作の時差表示時計であり、自国時間を表示する自国時間表示用短針と、他国時間を表示する複数の他国時間表示用短針を有し、他国時間を表示する他国時間表示用短針を時差に合わせて回動自在に構成し、自国時間を表示する自国時間表示用短針と他国時間を表示する複数の他国時間表示用短針を異なる色彩で表面処理し、又は異なる形状にしたことを特徴とし、且つ、他国時間を表示する他国時間表示用短針を回動するための駆動機構が、時計本体の外側に位置するボタンの押圧によりレバーを介してラチェットを回動する手段、リューズを介してギヤを回動する手段、クラッチ手段等の操作で容易に行うことのできる駆動手段で構成されている時差表示時計を提供するものである。
【発明の効果】
【０００７】  本発明の時差表示時計は、先ず、ダブルウオッチを持つ必要がないことであり、色分けされた他国時間表示用短針を複数にすれば、ひとつの時計で複数国の時間が容易にわかるように構成されており、コストも他国時間表示用短針の回動機構の追加のみで安価に製造できるものであり、家庭の柱時計や置き時計でも応用でき、家族の一員・親戚・友達等の外国駐在国の時間が即座にわかるものであり、また、逆に外国駐在者が本国の時間を即座にわかるようにしたものであり、一般時計では長針を回転させながら時差を合わせるので、時計は一時的に停止状態になり時間を正確に合わせるのが難しいが、本発明の時差表示時計では時計の作動には関係なく、他国時間表示用短針のシャフトに同軸的に保持された色違いの他方の他国時間表示用短針を回動するので、腕時計のみならず、置時計、懐中時計、柱時計等のあらゆる時計のアナログ針方式の時差表示を可能にしているものである。
【発明を実施するための最良の形態】
【０００８】  以下、図面に基づいて、本発明を実施するための最良の形態を具体的に説明する。
図面に於いて、図１は本発明時差表示時計の平面図、図２は本発明時差表示時計の部分断面図、図３は短針回動機構の一例を示す説明図である。
【実施例１】
【０００９】  図面は本発明時差表示時計の一実施例を示すものであり、以下、図面に基づいて本発明時差表示時計の実施例を具体的に説明する。
本発明の時差表示時計は、秒針５、長針３及び自国時間を表示する自国時間表示用短短針４と他国時間を表示する複数の他国時間表示用短針６を有し、他国時間を表示する他国時間表示用短針６を時差に合わせて図中の時差調整回動量７で示すように回動自在に構成され、自国時間を表示する自国時間表示用短針４と他国時間を表示する複数の他国時間表示用短針６とが異なる色彩で表面処理され、又は異なる形状に形成されている。【００１０】  他国時間表示用短針６は複数国の時差を表示するものであれば、複数の他国時間表示用短針６をそれぞれ異なる色彩で表面処理し、又は異なる形状にしておけば、使用者がその色彩または形状を文字盤２上で確認することによって国別の時差を容易に把握することができる。【００１１】  他国時間を表示する他国時間表示用短針６を回動するための駆動機構については、一実施例を図２乃至図３面上で示したものであり、この駆動機構に限定されるものではない。時計本体１の外側に位置するボタン８の押圧により押圧部材８１、レバー８２を介して、ラチェット１０を回動して、該ラチェット１０が固定されているリング部材９１を回動し他国時間表示用短針６を必要量だけ回動する。【００１２】  押圧部材８１は枢軸８３を介してレバー８２に連結されており、レバー８２は支点８４を支点として揺動し、図３に示すようにラチェット１０歯を順次押圧して回動させる。
スプリング止め８５に固定されたスプリング８６はレバー８２を外方へ付勢しているので、ボタン８を押して押圧部材８１が矢印ａ又は矢印ｂ方向へ移動するように構成されている。【００１３】  リング部材９１はシャフト１１のボス９に一定の摩擦力で嵌着されおり、回動後も自国時間表示用短針４と共に回動されるので、自国時間表示と他国時間表示とが一目瞭然に把握することができる。【００１４】  他国時間表示用短針６の回動手段は上記の実施例に限定されることなく、リューズを介してギヤを回動する手段、クラッチ手段等の操作で容易に行うことのできる駆動手段で構成することもできる。
【産業上の利用可能性】
【００１５】  本発明の時差表示時計は以上説明したように構成されているので、ひとつの時計で複数国の時間が容易にわかるように構成されており、コストも他国時間表示用短針の回動機構の追加のみで安価に製造できるものであり、家庭の柱時計や置き時計でも応用でき、家族の一員・親戚・友達等の外国駐在国の時間が即座にわかるものであり、また、逆に外国駐在者が本国の時間を即座にわかるようにしたものであり、一般時計では長針を回転させながら時差を合わせるので、時計は一時的に停止状態になり時間を正確に合わせるのが難しいが、本発明の時差表示時計では時計の作動には関係なく、他国時間表示用短針のシャフトに同軸的に保持された色違いの他方の他国時間表示用短針を回動するので、腕時計のみならず、置時計、懐中時計、柱時計等のあらゆる時計のアナログ針方式の時差表示を可能にしているものであるから、その実用的利用可能性は非常に高いものである。
【図面の簡単な説明】
【００１６】
【図１】  本発明時差表示時計の一例を示す平面図である。
【図２】  本発明時差表示時計の一例を示す部分断面図である。
【図３】  短針回動機構の一例を示す説明図である。
【符号の説明】
【００１７】  １．  時計本体
２．  文字盤
３．  長針
４．  自国時間表示用短針
５．  秒針
６．  他国時間表示用短針
７．  時差調整回動量
８．  ボタン
８１．  押圧部材
８２．  レバー
８３．  枢軸
８４．  支点
８５．  スプリング止め
８６．  スプリング
９．  ボス
９１．  リング部材
１０．  ラチェット
１１．  シャフト
【図１】
2006030153.tif 000003
【図２】
2006030153.tif 000004
【図３】
2006030153.tif 000005